(57)【要約】【課題】  電子番組ガイドの表示から各チャンネルの番組の進行状況を認識することができる、「放送受信機能を備えた電子装置およびその装置における電子番組ガイドの表示方法」を提供する。【解決手段】  ディジタル放送受信装置１は、放送される番組についての電子番組ガイド情報および各チャンネルで放送されている番組の進行内容を示す進行情報を取得し、これを記憶するメモリ３０と、テレビ等の表示装置と、電子番組ガイドを表示装置に表示させるとき、電子番組ガイド情報に対応する進行情報をメモリ３０から読み出し、電子番組ガイド情報とともに進行情報を表示させる制御手段３８とを有するものである。【選択図】      図１
2005175695.tif 000002
【特許請求の範囲】
【請求項１】
放送受信機能を備えた電子装置であって、
放送される番組についての電子番組ガイド情報を取得する第１の取得手段と、
第１の取得手段によって取得された電子番組ガイド情報を記憶する第１の記憶手段と、
表示手段と、
複数のチャンネルにおいて放送されている各番組の進行内容を示す進行情報を取得する第２の取得手段と、
第２の取得手段によって取得された進行情報を記憶する第２の記憶手段と、
第１の記憶手段に記憶された電子番組ガイド情報を表示手段に表示させるとき、当該電子番組ガイド情報に対応する進行情報を第２の記憶手段から読み出し、電子番組ガイド情報とともに進行情報を表示させる表示制御手段と、
を有する電子装置。
【請求項２】
第１の取得手段は、テレビ放送信号に多重化された電子番組ガイド情報を取得する、請求項１に記載の電子装置。
【請求項３】
第１の取得手段は、ラジオ放送信号に多重化された電子番組ガイド情報を取得する、請求項１に記載の電子装置。
【請求項４】
第１の取得手段は、外部のデータソースからネットワークを介して電子番組ガイド情報を取得する、請求項１に記載の電子装置。
【請求項５】
第２の取得手段は、テレビ放送信号に多重化された進行情報を取得する、請求項１ないし４いずれかに記載の電子装置。
【請求項６】
第２の取得手段は、ラジオ放送信号に多重化された進行情報を取得する、請求項１ないし４いずれかに記載の電子装置。
【請求項７】
第２の取得手段は、外部のデータソースからネットワークを介して進行情報を取得する、請求項１ないし４いずれかに記載の電子装置。
【請求項８】
第２の取得手段は、現在放送されている複数のチャンネルについての各番組の最新の進行情報を取得する、請求項１ないし７いずれかに記載の電子装置。
【請求項９】
表示制御手段は、ユーザからの要求があったときに表示手段に電子番組ガイド情報および進行情報を表示させる、請求項１ないし８いずれかに記載の電子装置。
【請求項１０】
表示制御手段は、各番組についての進行情報を表示させるとき、進行情報が取得された時刻を併せて表示させる、請求項１ないし９いずれかに記載の電子装置。
【請求項１１】
進行情報は、番組のシーン（場面）における映像や音声等の特徴を記述したテキストデータである、請求項１ないし１０いずれかに記載の電子装置。
【請求項１２】
テキストデータは、ＭＰＥＧ７により規格されたフォーマットを有する、請求項１１に記載の電子装置。
【請求項１３】
放送受信機能を備えた電子装置における電子番組ガイドの表示方法であって、
電子番組ガイド情報を取得し、これをメモリに記憶するステップと、
複数のチャンネルにおいて放送されている各番組の進行内容を示す進行情報を取得し、これをメモリに記憶するステップと、
メモリに記憶された電子番組ガイド情報をディスプレイに表示するとき、対応する番組の進行情報を一緒に表示するステップと、
を有する電子ガイドの表示方法。
【請求項１４】
電子番組ガイド情報に含まれる各番組についての進行情報が表示される、請求項１３に記載の表示方法。
【請求項１５】
電子番組ガイド情報および進行情報は、テレビ放送信号またはラジオ放送信号から取得される、請求項１３に記載の表示方法。
【請求項１６】
進行情報は、ネットワークを介して外部のデータソースから取得される、請求項１３に記載の表示方法。
【請求項１７】
進行情報は、番組のシーンにおける映像や音声等の特徴を記述したテキストデータである、請求項１３ないし１６いずれかに記載の表示方法。
【発明の詳細な説明】
【技術分野】
【０００１】
本発明は、放送受信機能を備えた電子装置に関し、特に、テレビ放送やラジオ放送を受信する機能を備えた電子装置における電子番組ガイドの表示方法に関する。
【背景技術】
【０００２】
ＢＳ放送、ＣＳ放送を初めとするテレビ放送では、テレビ放送信号に電子番組ガイド（Electronic Program Guide）情報を多重化させ、この情報を元に電子番組ガイドをテレビ画面に表示するシステムが用いられている。ユーザは、電子番組ガイドを参照することで、数ある放送予定番組の中から所望の番組を検索したり、番組の内容を確認したりすることができるようになっている。また、電子番組ガイド情報を元にビデオレコーダ等に番組の録画予約を行うことも可能になっている。
【０００３】
テレビ受信装置では、電子番組ガイド情報に基づき、テレビ画面に例えば図８に示すような電子番組ガイドを表示する。縦軸に放送時間、横軸に各放送局（またはチャンネル）を示し、そのマトリックス内に放送される番組名と簡単な内容を示す情報が示される。図の例は、２０時の時間帯に放送される各放送局の番組名が示されている。
【０００４】
こうした電子番組ガイドに対してさらに追加的なサービス情報を提示する方法が例えば特許文献１に開示されている。特許文献１は、電子番組ガイドの画面に、広告ウインドウを追加したり、あるいは、スポーツボタン、ニュースボタンおよびホームタウンボタンを含むメニューボタンを追加し、ユーザがこれらのボタンを押下することでスポーツやニュースの情報を得ることができるようにテレビのチューナーを自動的に同調するものである。
【０００５】
【特許文献１】特表２００２−５３２０２５
【発明の開示】
【発明が解決しようとする課題】
【０００６】
しかしながら、従来の電子番組ガイドの表示には次のような課題がある。図８に示すような電子番組ガイドの表示では、各チャンネルの放送予定番組の概要しか把握することができないため、現在どのようなシーン（場面）が放送されているのかが分からず、ユーザはわざわざチャンネルを切り替えて放送画面の内容を確認しなければならなかった。言い換えれば、電子番組ガイドの表示は、ユーザにとってチャンネル選択を行うには情報が不十分であった。一方、上記特許文献では、ユーザの所望とする番組等を電子番組ガイドの画面から選択することが可能であるが、この画面から現在放送されている各チャンネルの番組の進行状況を把握できるものではない。
【０００７】
本発明は、上記従来の課題を解決し、電子番組ガイドの表示から各チャンネルの番組の進行状況を認識することができる、放送受信機能を備えた電子装置およびその装置における電子番組ガイドの表示方法を提供することを目的とする。
【課題を解決するための手段】
【０００８】
本発明に係る、放送受信機能を備えた電子装置は、放送される番組についての電子番組ガイド情報を取得する第１の取得手段と、第１の取得手段によって取得された電子番組ガイド情報を記憶する第１の記憶手段と、表示手段と、複数のチャンネルにおいて放送されている各番組の進行内容を示す進行情報を取得する第２の取得手段と、第２の取得手段によって取得された進行情報を記憶する第２の記憶手段と、第１の記憶手段に記憶された電子番組ガイド情報を表示手段に表示させるとき、当該電子番組ガイド情報に対応する進行情報を第２の記憶手段から読み出し、電子番組ガイド情報とともに進行情報を表示させる表示制御手段とを有するものである。
【０００９】
好ましくは、第１の取得手段は、テレビ放送信号に多重化された電子番組ガイド情報、ラジオ放送信号に多重化された電子番組ガイド情報、または外部のデータソースからネットワーク（例えばインターネット）を介して電子番組ガイド情報を取得することができる。
【００１０】
好ましくは、第２の取得手段は、テレビ放送信号に多重化された進行情報、ラジオ放送信号に多重化された進行情報、または外部のデータソースからネットワーク（例えばインターネット）を介して進行情報を取得することができる。
【００１１】
進行情報は、例えば、番組の進行内容を表した記述データであり、記述データは、ＭＰＥＧ（Moving Picture Expert Group）７により規格されたフォーマットを有する。
【００１２】
本発明に係る、放送受信機能を備えた電子装置における電子番組ガイドの表示方法は、以下のステップを有する。電子番組ガイド情報を取得し、これをメモリに記憶するステップと、複数のチャンネルにおいて放送されている各番組の進行内容を示す進行情報を取得し、これをメモリに記憶するステップと、メモリに記憶された電子番組ガイド情報をディスプレイに表示するとき、対応する番組の進行情報を一緒に表示するステップとを有する。
【発明の効果】
【００１３】
本発明によれば、複数のチャンネルにおいて放送されている各番組の進行内容を示す進行情報を取得し、電子番組ガイド情報を表示するときに対応する進行情報を一緒に表示するようにしたので、ユーザは、電子番組ガイドの表示を見ることで、各番組で放送されているシーン（場面）等を把握することができ、この情報に基づきチャンネルの選択を行うことができる。その結果、ユーザにとって利便性、操作性の優れた電子装置を提供することができる。
【発明を実施するための最良の形態】
【００１４】
本発明に係る放送受信機能を備えた電子装置は、好ましくはディジタルテレビ放送を受信するディジタル放送受信装置によって実施される。
【実施例】
【００１５】
図１は、本発明の実施例に係るディジタル放送受信装置の構成を示すブロック図である。同図において、ディジタル放送受信装置１は、ディジタルテレビ放送等を受信するアンテナ１０と、アンテナ１０によって受信された電波から所定のチャンネルの電波を選局するチューナー１２と、チューナー１２からの出力信号をベースバンドに復調しかつ誤り訂正等を行う復調部１４と、復調されたデータビットストリームからオーディオ信号、ビデオ信号および番組情報をそれぞれ分離するデマルチプレクサ（ＤＭＵＸ）１６と、ディジタル圧縮されたオーディオ信号をアナログ音声信号に変換するオーディオデコーダー１８と、アナログ音声信号をアンプにより増幅しこれをスピーカーから出力させる音声出力部２０と、ディジタル圧縮されたビデオ信号をデコードするビデオデコーダー２２と、ビデオ信号とテレビ画面上に表示するデータとを合成する合成部２４と、合成されたビデオ信号を液晶やプラズマ等のディスプレイからなるテレビ画面に表示する映像出力部２６とを有する。
【００１６】
受信装置１はさらに、デマルチプレクサ１６で分離された番組情報をデコードする番組情報デコーダー２８と、デコードされた番組情報を記憶するメモリ３０と、テレビ画面上に表示すべきデータを作成するＯＳＤ(on screen display)処理部３２と、ユーザからのチャンネルの選局や電子番組ガイドの表示等を要求する入力部３４と、時間の管理を行うタイマー３６と、これらの各構成部を制御する制御部３８とを有している。
【００１７】
番組情報は、後述するように、電子番組ガイド情報と、各チャンネルにおいて放送されている番組の進行内容を示す進行情報とを含んでいる。メモリ３０は、制御部３８の制御により番組情報を所定の記憶領域に記憶する。メモリ３０は、例えばデータの書き換え可能な半導体メモリやハードディスクドライブ（ＨＤＤ）が用いられる。
【００１８】
制御部３６は、好ましくは受信装置の動作を制御するプログラムを記憶したＲＯＭ、プログラムに従い演算処理を行う中央処理装置、中央処理装置によって演算された各種データを保存するＲＡＭ等を含む。上記したメモリ３０やデコーダー等は、制御部３６からの図示されない制御信号によって接続され、制御される。
【００１９】
番組情報は、好ましくは放送局からディジタルテレビ放送信号に多重化されて送信される。番組情報には、放送される予定の番組表を表した電子番組ガイドと、放送されている番組の進行内容を示す進行情報とが含まれている。進行情報は、放送されているシーン（場面）の特徴を示す情報を含み、例えば、ニュース番組であれば放送されたニュースは何か、野球中継であれば誰が打席に入っているか、点数は何対何であるか等の情報であり、ドラマであれば、誰と誰との会話シーンであるか等の情報である。
【００２０】
このような進行情報は、例えばＭＰＥＧ７で規格されているフォーマットに従い記述されたテキストデータであることが望ましい。ＭＰＥＧ７は、様々な形式の音声・映像情報のコンテンツ内容を記述するための標準を制定するものであり、音声、スピーチ、動画、写真、グラフィック、三次元モデル、シーンにおける各要素の構造情報を対象とするものである。
【００２１】
進行情報は、コンテンツの作成者、本例の場合には番組制作者によって作成される。番組のすべてのシーンについて進行情報を作成することは、制作者側の過度の負担となり、受信者側にとっても受信すべきデータ量が膨大となる。そこで、変更情報は、例えば、予めドラマのように内容が分かっているような場合には、シーン毎に変化するタイミングで進行情報を作成したり、あるいは、生中継のような番組であれば一定の時間間隔で区切りそれらについて進行情報を作成するようにしてもよい。
【００２２】
各放送局がディジタル放送信号に多重化してこのような進行情報を送信することで、受信装置側では各放送局の番組の進行情報を取得し、各番組が現在どのようなシーンを放送されているのかを認識することが可能となる。
【００２３】
メモリ３０は、番組情報デコーダー２８によってデコードされた番組情報を記憶する。番組情報の記憶方式を図２に示す。メモリ３０は、１時間の時間帯毎の管理テーブルＴ０〜Ｔ２３を有し、各テーブルには各チャンネル（各放送局）に対応する番組情報（番組ガイドと進行情報）の記憶アドレスが示されている。管理テーブルＴ０は、時間０：００〜０：５９までの各チャンネルの番組情報を管理し、管理テーブルＴ１は時間１：００〜１：５９までの各チャンネルの番組情報を管理し、以下同様に管理テーブルＴ２３は時間２３：００〜２３：５９までを管理する。
【００２４】
各管理テーブルにおいて、番組ガイドと変更情報を記憶すべきアドレスが各チャンネル毎に設定される。例えば、管理テーブルＴ０では、チャンネルＡの番組ガイドはアドレスＡ００、進行情報はアドレスＡ０１、チャンネルＢの番組ガイドはアドレスＢ００、進行情報はアドレスＢ０１に設定される。同様に、管理テーブルＴ１ないしＴ２３にも番組ガイドと変更情報の記憶アドレスが設定されている。こうして少なくとも２４時間の番組情報の管理ができるようになっている。メモリ３０は、管理テーブル以外に、番組ガイドおよび進行情報を記憶するための記憶領域を備えている。
【００２５】
メモリ３０への電子番組ガイド情報および進行情報の記憶は、制御部３８によって制御される。制御部３８は、受信装置１がテレビ放送を受信可能な状態にあるとき、タイマー３６からの時間情報を参照して、放送信号からデコードして取得された番組情報を管理テーブルに示されたアドレスに記憶させる。例えば、チャンネルＡについての番組情報を取得したとき、当該番組情報が８：００から１０：００までの電子番組ガイド情報を含んでいたとする。この場合、制御部３８は、８時、９時および１０時の時間帯に相当する管理テーブルＴ８、Ｔ９、Ｔ１０をサーチし、これらの管理テーブルに示されたチャンネルＡについての番組ガイドのアドレスに電子番組ガイド情報を記憶させる。
【００２６】
また、例えば午後８時にチューナー１２によってチャンネルＢについての進行情報が取得された場合、制御部３８は、午後８時に相当する管理テーブルＴ２０をサーチし、この管理テーブルＴ２０のチャンネルＢで示されたアドレスに変更情報を記憶させる。
【００２７】
チャンネルの選局に際して、現在見ているチャンネル以外のチャンネルの変更情報を取得する必要がある。このため、制御部３８は、現在受信しているチャンネル以外のチャンネルからの変更情報を取得するために、チューナー１２を制御して一定のタイミングで他のチャンネルからの変更情報や番組ガイド情報を取得するようにする。この場合、現在受信している放送に影響がでないようにするため、例えば、コマーシャル放送を検出し、その期間に他のチャンネルの番組情報を取得するようにしてもよい。あるいは、図３に示すように、チューナー１２に２つの同調部１２ａ、１２ｂを設け、一方の同調部１２ａに現在受信しているチャンネルに同調させ、他方の同調部１２ｂに他のチャンネルからの番組情報を取得するように同調させるようにしてもよい。この場合、制御部３８は、制御線３８ａによりユーザが選局したチャンネルからの放送を受信するように同調部１２ａを制御し、制御線３８ｂにより他のチャンネルからの放送を受信するように同調部１２ｂを制御する。
【００２８】
ＯＳＤ処理部３２は、制御部３８の制御によりテレビ画面に表示されるべきデータを作成する。例えば、入力部３４から電子番組ガイドを表示する旨の指示が与えられたとき、制御部３８は、メモリ３０に記憶された番組ガイドおよび進行情報を読み出し、これらをテレビ画面に表示できるように映像データを作成し、これを合成部２４へ出力する。
【００２９】
次に、本実施例に係る受信装置による電子番組ガイドの表示について図４のフローチャートを参照して説明する。ユーザによって入力部３４から要求された選局に従い、チューナー１２は選局されたチャンネルのテレビ放送を受信し、このチャンネルの番組が音声出力部２０および映像出力部２６から出力される（ステップＳ１０１）。
【００３０】
制御部３８は、上記番組についての出力を行っている間に、上記した方法により他のチャンネルについての番組情報を取得し、これらをメモリ３０に記憶する（ステップＳ１０２）。
【００３１】
ユーザから電子番組ガイド（ＥＰＧ）の表示のリクエストがあったとき（ステップＳ１０３）、制御部３８は、タイマー３６からの現在時刻を参照し、現在時刻を含む時間帯の管理テーブルをサーチし（ステップＳ１０４）、該当する管理テーブルに示された記憶アドレスから番組情報（番組ガイドおよび変更情報）を読み出す（ステップＳ１０５）。
【００３２】
制御部３８は、ＯＳＤ処理部３２を制御し、メモリ３０から読み出した番組情報をテレビ画面上に表示させる（ステップＳ１０６）。
【００３３】
図５は、午後８時の時間帯の電子番組ガイドの表示例である。同図において、各チャンネル（ＮＨＫ総合、ＦＴＶ、ＦＣＴ、ＴＵＦ）には、表示領域５０で示される部分に従来と同様の電子番組ガイドが表示される。さらに、放送されている番組の進行内容を示す進行情報がテキストデータとして表示領域６０に表示されている。例えば、ＮＨＫ総合であれば、北朝鮮関連のニュースが行われていることが表示され、ＦＴＶであれば後半２５分において鹿島と磐田の点数が示され、またコーナーキックのシーンが放送中であることが示される。このように表示領域６０には、各チャンネル毎に、午後８時の時間帯に放送されている番組の最新の内容が、ほぼリアルタイムで表示される。
【００３４】
ユーザから電子番組ガイドの表示の終了の指示が与えられると（ステップＳ１０７）、表示が終了される。また、ユーザから他の時間帯の電子番組ガイドの表示のリクエストがあると（ステップＳ１０８）、制御部３８は、例えば、現在の時間より１時間前の時間帯の管理テーブルをサーチし、そのアドレスに従い番組情報を読み出し、それらをテレビ画面に表示させる（ステップＳ１１０）。ステップＳ１０７からステップＳ１１０までの処理は、ユーザからのリクエストによって繰り返し行うことが可能であり、ユーザは所望の時間帯の電子番組ガイドを表示することができる。
【００３５】
このように、ユーザは、電子番組ガイドに併せて表示された進行情報を見ることで、他のチャンネルが現在どのようなシーンを放映しているかを一目で把握することができるため、わざわざ他のチャンネルに切り替えてテレビ画面の内容を確認をする必要がない。そして、電子番組ガイドの表示画面から興味のあるチャンネルを容易に選局することが可能となる。
【００３６】
図６は、電子番組ガイドの他の表示例である。この例では、各チャンネル毎の進行情報を取得した時刻が併せて表示されている。制御部８０は、変更情報をメモリ３０に記憶させるときに、タイマー３６からの時間情報を一緒に記憶させ、電子番組ガイドの表示のときにこの時間情報を表示することができる。
【００３７】
なお、電子番組ガイドに表示される変更情報は、図５および図６の例では最新に取得したものを表示するようにしたが、これに限らず、その時間帯に記憶されているすべての変更情報を時系列的に表示するようにしてもよい。
【００３８】
図７は、本発明の第２の実施例に係るディジタル方送受信装置の構成を示すブロック図である。第２の実施例では、第１の実施例のときと異なり、番組情報をインターネットを介して外部のサーバーから取得することを可能にするものである。第２の実施例に係るディジタル方送受信装置２は、有線または無線によりＬＡＮ等のネットワークを介してインターネットに接続するための通信制御部７０を含んで構成される。通信制御部７０は、番組の内容についての情報を放送局のサーバーからダウンロードし、これをメモリ３０に記憶するようにしてもよい。例えば、野球などのスポーツを中継する番組の場合、その途中経過がリアルタイムでサーバーにアップロードされるため、このデータを進行情報として取得することも可能である。さらに、電子番組ガイドについても所定のサーバーからダウンロードしてメモリに記憶するようにしてもよい。
【００３９】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００４０】
上記実施例では、テレビ放送についての電子番組ガイドの表示を例示したが、必ずしもこれに限らず、例えば、ラジオ放送についての電子番組ガイドの表示であってもよい。この場合にも、電子番組ガイドとともに番組の進行情報を重畳させることで、ユーザはラジオ局の選局のための判断材料として活用することができる。
【産業上の利用可能性】
【００４１】
本発明に係るディジタル放送受信装置は、地上波や衛星波のディジタル放送、ケーブルテレビ等のディジタル放送を受信する受信機能を有する、テレビ受信装置、ＡＶ受信装置、ナビゲーション装置等を含む広い電子装置や電子システムにおいて利用される。また、そのような電子装置は、固定であっても良いし、移動されるものであってもよい。
【図面の簡単な説明】
【００４２】
【図１】本発明の実施例に係るディジタル方送受信装置の構成を示すブロック図である。
【図２】メモリ３０の記憶内容を説明する図である。
【図３】チューナーの他の構成例を示す図である。
【図４】本実施例のディジタル方送受信装置における電子番組ガイドの表示動作を説明するフローチャートである。
【図５】本実施例における電子番組ガイドの表示例である。
【図６】本実施例における電子番組ガイドの他の表示例である。
【図７】本発明の第２の実施例に係るディジタル方送受信装置の構成を示すブロック図である。
【図８】従来の電子番組ガイドの表示例である。
【符号の説明】
【００４３】
１２：チューナー、                    １４：復調部
１６：デマルチプレクサ、              １８：オーディオデコーダー
２０：音声出力部、                    ２２：ビデオデコーダー
２４：合成部、                        ２６；映像出力部
２８：番組情報デコーダー、            ３０：メモリ
３２：ＯＳＤ処理部、                  ３４：入力部
３６：タイマー                        ３８：制御部
５０：電子番組ガイド                  ６０：進行情報
７０：通信制御部
【図１】
2005175695.tif 000003
【図２】
2005175695.tif 000004
【図３】
2005175695.tif 000005
【図４】
2005175695.tif 000006
【図５】
2005175695.tif 000007
【図６】
2005175695.tif 000008
【図７】
2005175695.tif 000009
【図８】
2005175695.tif 000010